(57)【要約】 【課題】  広い面積を形成するパネル部材の支持を、背の高い梁を用いることなく効率的に行うことを可能とするパネル部材の支持構造及び床部の施工方法を提供すること。【解決手段】  建物１を構成するパネル部材を梁１０１，１０２によって支持するパネル部材の支持構造であって、前記パネル部材の下面に対して前記梁１０１，１０２が複数本隣接して並べられているパネル部材の支持構造、及び床部２０を構成する床パネル２０１２０２を梁１０１，１０２によって支持する床部２０の施工方法において、梁１０１，１０２を複数本隣接して並べる工程と、前記複数本隣接して並べられた梁１０１，１０２の上面に複数枚の床パネル２０１，２０２を敷き詰める工程を備えており、隣り合う床パネル２０１，２０２の端部下面に、前記梁１０１，１０２のそれぞれが対応するようにして設けられている床部２０の施工方法。【選択図】  図１
2005139707.tif 000002
【特許請求の範囲】
【請求項１】
建物を構成するパネル部材を梁によって支持するパネル部材の支持構造であって、
前記パネル部材の下面に対して前記梁が複数本隣接して並べられていることを特徴とするパネル部材の支持構造。
【請求項２】
請求項１記載のパネル部材の支持構造において、
前記パネル部材が２枚略水平に隣り合って並べて配置されており、
当該隣り合う前記パネル部材の端部下面に対して隣接して並べられる２本の梁が当該パネル部材を支持するにあたり、
前記床パネルの１枚が前記２本の梁のうち片方の梁により支持され、
もう１枚の床パネルが、もう片方の梁により支持されていることを特徴とするパネル部材の支持構造。
【請求項３】
請求項２に記載のパネル部材の支持構造において、
前記２本の梁の梁成がそれぞれ異なる寸法であることを特徴とするパネル部材の支持構造。
【請求項４】
請求項２に記載のパネル部材の支持構造において、
前記２本の梁の断面巾がそれぞれ異なる寸法であることを特徴とするパネル部材の支持構造。
【請求項５】
請求項１ないし請求項４の何れかに記載のパネル部材の支持構造において、
前記パネル部材は、建物の床部を構成する床パネルであることを特徴とするパネル部材の支持構造。
【請求項６】
床部を構成する床パネルを梁によって支持する床部の施工方法において、
梁を複数本隣接して並べる工程と、
前記複数本隣接して並べられた梁の上面に複数枚の床パネルを敷き詰める工程を備えており、
隣り合う複数枚の床パネルの端部下面に対して、前記複数本の梁のそれぞれが対応するようにして設けられていることを特徴とする床部の施工方法。
【発明の詳細な説明】
【技術分野】
【０００１】
本発明は、建物を構成するパネル部材を梁によって支持するパネル部材の支持構造および床部の施工方法に関する。
【背景技術】
【０００２】
プレハブ住宅等の建物を施工する手段としては、例えば、あらかじめ工場で製造された床パネル、壁パネル、天井パネル、屋根パネル等の矩形板状のパネル部材を配列していくことにより、床、壁、天井等を形成していく施工方法（いわゆるパネル工法）が用いられている。
【０００３】
このようなパネル部材を用いたプレハブ住宅等の建物において、床パネルにより構成される上階の床部の支持構造としては、梁によって上部に存する床パネルを支持する構造が知られている（例えば、特許文献１）。
また、一般に、床パネルの支持構造としては、隣接する壁パネルの間に対して支持材である梁が設けられて、上階の床部９０を支持する構造が採用されている。図８は、このような従来における上階の床部９０の支持構造を示した概略図であり、また、図９は、当該支持構造を示した部分斜視図であり、立設された壁パネル９０１と梁９０２の上面に対して、上階の床部９０を構成する床パネル９０３を敷き詰める構造をとっている。なお、図９に示されるように、梁９０２の下部には、下階の天井面９０４が存在する。
【０００４】
一方、かかる図８及び図９に示される支持構造にあって、建物内に広い部屋を構築する等の理由で、建物の床面積を拡張する場合には、梁９０２により支持される荷重も大きくなるため、梁９０２のサイズを適宜変更する必要があった。かかる場合には、梁成を大きくすることがあることが一般的であるが、あまり梁成を大きくした場合にあっては、図１０に示すように、梁９０２が下方に存在する天井面９０４から突き出てしまうことになるため、好ましいものではなかった。
【０００５】
従って、このように建物の床面積が広く、梁成の大きい梁９０２を使用する場合にあっては、図１１及び図１２に示されるような、梁成の大きい梁９０２の側面に受材９０５を備えるようにして、床パネル９０３を梁成の大きさに収めるようにする支持構造が用いられることがあった。図１１は、当該支持構造を示した概略図であり、図１２は、当該支持構造の部分斜視図である。また、このような構成を備えた支持構造に関連する技術も提供されていた（例えば、特許文献２）。
【０００６】
【特許文献１】特開平１０−７２８８８号公報
【特許文献２】特開２００３−１３８６８２号公報
【発明の開示】
【発明が解決しようとする課題】
【０００７】
しかしながら、図１１及び図１２に示したような、梁成の大きい梁９０２の側面に受材９０５を備えるようにして、床パネル９０２を梁成の大きさに収めるようにする支持構造にあっては、床パネル９０２の規格が図８及び図９に示される支持構造において使用されていた床パネル９０２と異なるものとなってしまい、床パネル９０２を共通して使用することができなくなっていた。よって、結果として部品点数が増えてしまい、建物の施工コストが高くなってしまうという問題があった。
また、図１１及び図１２に示した支持構造は、梁９０２に対しても別途受材９０５を備える必要があるため、これも部材点数の増加につながることとなっていた。
【０００８】
一方、梁９０２の大きさは、支持する床部９０の面積に対する強度の計算を行って決定されるのであるが、例えば、１枚の梁９０２で隣接する２枚のパネル部材を支持する場合において、２枚のパネル部材から受ける荷重が異なる際には、梁の設計が困難であるほか、パネル部材から受ける荷重が梁によって効率的に支持されなくなるという問題も生じていた。
【０００９】
本発明は、前記の問題に鑑みてなされたものであり、広い面積を形成するパネル部材の支持を、背の高い梁を用いることなく効率的に行うことを可能とするパネル部材の支持構造及び床部の施工方法を提供することをその目的とする。
【課題を解決するための手段】
【００１０】
前記の課題を解決するために、本発明のパネル部材の支持構造は、例えば、図１及び図２に示されるように、建物１を構成するパネル部材２０１，２０２を梁によって支持するパネル部材の支持構造であって、前記パネル部材２０１，２０２の下面に対して前記梁１０１，１０２が複数本隣接して並べられていることを特徴とするものである。
【００１１】
この本発明によれば、パネル部材の支持構造として、パネル部材に対して梁を複数枚隣接して並べられた状態で支持するようにしているので、支持するパネル部材の面積が大きくなる場合であっても、梁の梁成を大きくすることなく、パネル部材の支持を好適に行うことができる支持構造を提供することができる。
また、床パネル、壁パネル、天井パネル、屋根パネル等、支持するパネル部材についても、既存のパネル部材を何ら制限なく使用することができる。
【００１２】
本発明のパネルの支持構造は、例えば、図１及び図２に示されるように、前記パネル部材２０１，２０２が２枚略水平に隣り合って並べて配置されており、当該隣り合う前記パネル部材２０１，２０２の端部下面に対して隣接して並べられる２本の梁１０１，１０２が当該パネル部材２０１，２０２を支持するにあたり、前記床パネル２０１，２０２の１枚の床パネル２０１が前記２本の梁１０１，１０２のうち片方の梁１０１により支持され、もう１枚の床パネル２０２がもう片方の梁１０２により支持されていることが好ましい。
この本発明によれば、略水平に隣り合って並べられて配置される２枚のパネル部材のうち、パネル部材の１枚が当該パネル部材の端部下面に対して隣接して並べられる２本の梁のうち片方の梁により支持され、もう１枚の床パネルがもう片方の梁により支持される構造をとるため、２枚のパネル部材のそれぞれ１枚を、隣接して並べられた２本の梁の１枚それぞれが対応して支持することとなり、効率的で無駄のない支持構造を提供することができる。
【００１３】
本発明のパネル部材の支持構造では、例えば、図４及び図５に示されるように、前記２本の梁１０２，１０３の梁成がそれぞれ異なる寸法であることが好ましい。
この本発明によれば、梁が２枚隣接して並べられているとともに、梁の梁成をそれぞれ異なる寸法としているので、例えば、隣接する２枚のパネル部材を支持する場合において、かかる２枚のパネル部材の面積が異なる等２枚のパネル部材から受ける荷重が異なるときであっても、梁の梁成を２枚のパネルそれぞれの荷重に対応した大きさにすることにより、パネル部材から受ける荷重が梁成の異なる２本の梁によって効率的に支持できる支持構造を提供することが可能となる。
【００１４】
具体的には、比較的広い面積のパネル部材と、比較的狭い面積のパネル部材という隣接した２枚のパネル部材を支持する場合においては、梁成の大きい梁と梁成の小さい梁を用意して、かかる梁成の大きさの異なる２本の梁を、受ける荷重の大きい前者のパネル部材を梁成の大きい梁で、また、受ける荷重の小さい後者のパネル部材を梁成の小さい梁でそれぞれ支持するように隣接して並べるようにして、前記の２枚の隣接した２枚のパネル部材を支持するようにすればよい。
【００１５】
本発明のパネル部材の支持構造では、例えば、図６及び図７に示されるように、前記２本の梁１０２，１０４の断面巾がそれぞれ異なる寸法であることが好ましい。
この本発明によれば、梁が２枚隣接して並べられているとともに、梁の断面巾をそれぞれ異なる寸法としているので、例えば、隣接する２枚のパネル部材を支持する場合において、２枚のパネル部材から受ける荷重が異なるときであっても、梁の断面巾を２枚のパネルそれぞれの荷重に対応した大きさにすることにより、パネル部材から受ける荷重が、断面巾の異なる２本の梁によって効率的に支持される支持構造を提供することができることとなる。
【００１６】
本発明のパネル部材の支持構造では、例えば、図１ないし図７に示されるように、前記パネル部材は、建物の床部２０を構成する床パネル２０１〜２０４であることが好ましい。
この本発明によれば、建物の床部を構成する床パネルを支持する支持構造において、前記した作用・効果を好適に享受することができる。
【００１７】
本発明の床部２０の施工方法は、例えば、図１及び図２に示されるように、床部２０を構成する床パネル２０１，２０２を梁１０１，１０２によって支持する床部２０の施工方法において、梁１０１，１０２を複数本隣接して並べる工程と、前記複数本隣接して並べられた梁１０１，１０２の上面に複数枚の床パネル２０１，２０２を敷き詰める工程を備えており、隣り合う複数枚の床パネル２０１，２０２の端部２０１ａ，２０２ａ下面に、前記複数枚の梁１０１，１０２それぞれが対応するようにして設けられていることを特徴とするものである。
この本発明によれば、床部の施工として、複数枚隣接して並べられた梁によって、上方に敷き詰められた床パネルを支持する施工方法としていることから、支持する床パネルの面積が大きくなる場合であっても、梁の梁成を大きくすることなく、床パネルの支持を好適に行うことができる床部の施工方法を提供することができる。
また、この施工方法によれば、床パネルについても、既存のパネル部材を何ら制限なく使用することができるものである。
【発明を実施するための最良の形態】
【００１８】
以下、本発明の実施形態を図面に基づいて説明する。
［第１実施形態］
図１は、第１実施形態におけるパネル部材の支持構造を備え、一階５０及び二階６０を有する二階建て建物１（以下、単に「建物１」とすることもある）を示した断面図であり、かかる建物１における二階床部２０を構成する２枚の床パネル２０１，２０２は、当該床パネル２０１,２０２の下面に隣接して並べられた２本の梁１０１，１０２を用いることによって支持されている。
また、屋根３０を構成している屋根パネル３０１、及び小屋パネル３１は、小屋パネル３１の下面に隣接して並べられた２本の梁１１１，１１２を用いることによって支持されている。
【００１９】
また、図２は、二階床部２０を構成する床パネル２０１，２０２の支持構造を示した部分斜視図である。前記したように、本実施形態における二階床部２０は、２枚の床パネル２０１，２０２が並べて敷き詰められており、当該２枚の床パネル２０１，２０２の向きあった端部２０１ａ，２０２ａの下面に対して、隣接して並べられた２本の梁１０１，１０２が配設されている。
そして、図１及び図２において左側に位置する床パネル２０１の荷重を梁１０１が、また、同様に、右側に位置する床パネル２０２の荷重を梁１０２が、それぞれ支持している構造となっている。
【００２０】
ここで、床パネル２０１，２０２は、図２に示されるように、枠体２０６の内部に補強用の桟材２０７を取り付け、必要により断熱材や防湿材等を挟みこみ、当該枠体２０６及び桟材２０７の上面に対して構造用合板等の面材２０８を配設して形成されるものである。また、本実施形態においては、隣接して並べられた２枚の床パネル２０１，２０２とも、面積が略等しい大きさのものが使用されている。
【００２１】
また、床パネル２０１，２０２を支持している梁１０１，１０２は、マグサ等の木材等で形成された、長尺の断面矩形状部材であって、本実施形態においては、隣接して並べられている２本の梁１０１，１０２とも、梁成及び断面巾が略等しい寸法のものが使用されている。
また、梁１０１，１０２は、図２に示されるように、その端部が２枚の壁パネル６０２により形成されている固定部６０２ａに嵌め込まれるようにして保持固定されている。
【００２２】
次に、図３は、屋根３０を構成する屋根パネル３０１及び小屋パネル３１の支持構造を示した部分斜視図である。本実施形態における屋根３０は、陸屋根であり、図１にも示されるように、複数枚（図１では５枚）の屋根パネル３０１が並べて敷き詰められており、その下部に小屋パネル３１が配設されている。そして、かかる小屋パネル３１の下面に対して、これら屋根パネル３０１、及び小屋パネル３１を支持するための、隣接して並べられた２本の梁１１１，１１２が配設されている。
また、本実施形態において、屋根パネル３０１及び小屋パネル３１を支持するこれら２本の梁１１１，１１２は、図２に示した２本の梁１０１，１０２と同様に、梁成及び梁の断面巾が略等しい寸法のものが使用されている。
【００２３】
図１に従い、建物１の施工方法の一例を説明すると、まず、あらかじめ工場で製造されたパネル部材を、工場から建物１を設置する建設現場まで搬送した後、公知の手段により形成された基礎２の上面に一階床パネル４０１，４０２を敷き詰めて、一階床部４０を構築する。
この一階床部４０の上部に一階壁パネル５０１の下端部を載置して、一階壁パネル５０１と基礎２とを床パネル４０１，４０２を介して固定するようにする。そして、一階天井体７０を、その端部を一階壁パネル５０１が固定して設置され、一階５０が形成されることになる。
【００２４】
次に、二階床部２０を構築するには、二階の床パネル２０１，２０２を支持するための梁１０１，１０２を２本隣接して並べた後、２枚の床パネル２０１，２０２を、かかる２枚の床パネル２０１，２０２の向きあった端部２０１ａ，２０２ａの下面に、左側に位置する床パネル２０１の荷重を梁１０１が、また、同様に、右側に位置する床パネル２０２の荷重を梁１０２がそれぞれ支持しているようにして敷き詰めるようにする。
なお、当該梁１０１，１０２は、二階床部２０が構築された後に載置される壁パネル６０２により形成される固定部６０２ａ（図１には図示されない）により固定されることになる。
【００２５】
このようにして二階床部２０が構築されたら、この二階床部２０の上部に二階壁パネル６０１の下端部を載置するようにして、二階壁パネル６０１と一階壁パネル５０１とが床パネル２０１，２０２を介して固定されることになる。そして、二階天井体８０を、その端部を二階壁パネル６０１が固定するようにして設置して、二階６０が形成されることになる。
【００２６】
二階６０が形成されたら、屋根パネル３０１及び小屋パネル３１を支持するための梁１１１，１１２を２本隣接して並べた後、当該梁１１１，１１２の上面に小屋パネル３１を設置し、屋根固定体３２を敷設した後、その上部に屋根パネル３０１を敷き詰めて屋根３０が構築される。このような手段により、建物１が好適に施工されることになる。
【００２７】
ここで、本実施形態における建物１を構成するパネル部材相互の接合手段としては、公知の手段を適宜採用すればよいが、例えば、組み立て前にパネル部材の接合面に接着剤を塗布し、接合面同士を接着した後、スクリュー釘等によりパネル相互を緊結していくことにより建物を形成していく手段等を好適に用いることができる。
【００２８】
このような第１実施形態に示した建物１に設けられる本発明のパネル部材の支持構造によれば、次のような効果を得ることができる。
（１）建物１を構成する床パネル２０１，２０２、並びに屋根パネル３０１、及び小屋パネル３１の支持構造として、隣接して並べられた２本の梁１０１，１０２（及び１１１，１１２）により当該パネル部材を支持するようにしているので、支持する床パネル２０１，２０２等の面積が大きくなる場合であっても、梁１０１，１０２，１１１，１１２の梁成を大きくすることなく、床パネル２０１，２０２等の支持を好適に行うパネル部材の支持構造を提供することができる。
また、床パネル２０１，２０２、屋根パネル３０１等、支持するパネル部材についても、既存のパネル部材を何ら制限なく使用することができる。
そして、二階床部２０を構築する施工手段としても、２本隣接して並べられた梁１０１，１０２により、上方に敷き詰められた床パネル２０１，２０２を支持する施工方法を採用していることより、支持する床パネル２０１，２０２の面積が大きくなる場合であっても、梁１０１，１０２の梁成を大きくすることなく、二階床部２０を構成する床パネル２０１，２０２の支持を好適に行うことを可能とする二階床部２０の施工方法を提供することができる。
【００２９】
（２）二階床部２０の支持構造として、略水平に隣り合って並べて配置されている２枚の床パネル２０１，２０２を、当該隣り合う前記パネル部材の端部２０１ａ，２０２ａ下面に対して隣接して並べられる２本の梁１０１，１０２で支持するにあたって、前記床パネル２０１が前記２本の梁のうち梁１０１により支持され、もう１枚の床パネル２０２がもう片方の梁１０２により支持するようにしている。従って、２枚の床パネル２０１，２０２のそれぞれ１枚を、隣接して並べられた２本の梁１０１，１０２のそれぞれが対応して支持することとなり、二階床部２０の支持構造として効率的で無駄のない支持構造を提供することができる。
【００３０】
［第２実施形態］
前記した第１実施形態における二階床部２０の支持構造は、図１及び図２に示されるように、２枚の床パネル２０１，２０２が並べて敷き詰められており、当該２枚の床パネル２０１，２０２の向きあった端部２０１ａ，２０２ａの下面に対して、隣接して並べられた２本の梁１０１，１０２が配設されており、図１及び図２において左側に位置する床パネル２０１の荷重を梁１０１が、また、右側に位置する床パネル２０２の荷重を梁１０２がそれぞれ支持している構造となっているものであった。
そして、これら２枚の床パネル２０１，２０２それぞれを支持する２本の梁１０１，１０２の梁成及び断面巾については、略等しい寸法のものを採用していた。
【００３１】
これに対して、第２実施形態においては、図４及び図５に示されるように、２枚並べて敷き詰められた床パネル２０２，２０３を支持する２本の梁１０２，１０３の梁成は、その梁成を異とするものであり、具体的には、面積の小さい床パネル２０３を支持する１本の梁１０３について、第１実施形態において用いた梁１０１の梁成より小さい寸法のものを採用している。
なお、本実施形態においては、前記した第１実施形態と同一構造及び同一部材については、同一符号を付すとともに、その説明は省略又は簡略化している。
【００３２】
図４は、第２実施形態におけるパネル部材の支持構造を備えた二階建て建物１を示した概略図であり、また、図５は、第２実施形態における二階床部２０を構成する床パネル２０２，２０３の支持構造を示した部分斜視図である。
本実施形態において、建物１における二階床部２０を構成する２枚の床パネル２０２，２０３は、床パネル２０２と床パネル２０３とが略水平に隣り合って並べて配置されており、図４に示されるように、図４において右側に存する床パネル２０３について、第１実施形態において建物１における二階床部２０を構成した床パネル２０１より面積の狭い床パネル２０３を採用している。そして、当該床パネル２０３の左側は、一階５０から二階６０が吹き抜けの構造となっている。
【００３３】
また、これらの２枚の床パネル２０２，２０３は、隣接して並べられた２本の梁１０２，１０３を用いることによって支持されているが、前記した面積の小さな床パネル２０３を支持する梁１０３については、面積が小さくなることに伴って、支持する荷重も小さくなることに対応して、第１実施形態において用いた梁１０１より梁成の小さな梁１０３を採用している。
【００３４】
このような第２実施形態による本発明のパネル部材の支持構造によれば、前記した第１実施形態により奏される（１）及び（２）の効果に加えて、次のような効果を得ることができる。
（３）隣接する２枚の床パネル２０２，２０３を支持する床パネルの支持構造について、当該床パネル２０２，２０３を支持する２本の梁１０２，１０３の梁成をそれぞれ異なる寸法とし、面積の小さい床パネル２０３を梁成が小さな寸法の梁１０３で支持するようにしているので、床パネル２０２，２０３から受ける荷重が、梁成の異なる２本の梁１０２，１０３によって効率的に支持されることになる。
【００３５】
［第３実施形態］
前記した第２実施形態においては、二階床部２０を構成する２枚の床パネル２０２，２０３を支持する２本の梁１０２，１０３について、面積の小さい床パネル２０３を支持する１本の梁１０３について、第１実施形態において用いた梁１０１より小さな寸法のものを用いて対応しているものであった。
これに対して、第３実施形態においては、図６及び図７に示されるように、２枚並べて敷き詰められた床パネル２０２，２０４を支持する２本の梁１０２，１０４の断面巾が、面積の大きい床パネル２０４を支持する１本の梁１０４について、第１実施形態において用いた梁１０１の断面巾より大きな寸法のものを採用している。
なお、本実施形態においても、前記した第１実施形態及び第２実施形態と同一構造及び同一部材については、同一符号を付すとともに、その説明は省略又は簡略化している。
【００３６】
図６は、第３実施形態におけるパネル部材の支持構造を備えた二階建て建物１を示した概略図であり、また、図７は、第２実施形態における二階床部２０を構成する床パネル２０２，２０４の支持構造を示した部分斜視図である。なお、本実施形態において、屋根３０を構成する屋根パネル３０１は、６枚敷設されている。
本実施形態における建物１における二階床部２０を構成する２枚の床パネル２０２，２０４は、図６に示されるように、図６において左側に存する床パネル２０４について、第１実施形態において建物１における二階床部２０を構成した床パネル２０１より面積の大きな床パネル２０４を採用している。
そして、これらの２枚の床パネル２０２，２０４を支持する、隣接して並べられた２本の梁１０２，１０４において、面積の大きな床パネル２０４を支持する梁１０４については、第１実施形態において用いた梁１０１より梁の断面巾が大きな寸法の梁１０４を用いている。
【００３７】
このような第３実施形態による本発明のパネル部材の支持構造によれば、前記した第１実施形態により奏される（１）及び（２）の効果に加えて、次のような効果を得ることができる。
（４）隣接する２枚の床パネル２０２，２０４を支持する床パネル２０２，２０４の支持構造について、当該床パネル２０２，２０４を支持する梁１０２，１０４の断面巾をそれぞれ異なる寸法とし、広い面積の床パネル２０４について断面巾が大きな寸法の梁１０４で支持するようにしているので、床パネル２０２，２０４から受ける荷重が、梁の断面巾の異なる２本の梁１０２，１０４によって効率的に支持されることになる。
【００３８】
なお、本発明は、前述の各実施形態に限定されるものではなく、以下に示すような変形をも含むものである。
例えば、前記した実施形態では、屋根３０を構築する部材として、屋根パネル３０１のほか小屋パネル３１を用い、また、これらのパネル部材を隣接する２本の梁１１１，１１２により支持する態様を示したが、これには限定されず、屋根パネル３０１を隣接する２本の梁１１１，１１２によって直接支持するようにしてもよい。
【００３９】
また、前記した実施形態では、二階床部２０は２枚の床パネル２０１〜２０４で構成される対応を示したが、これには限定されず、当該床部は３枚以上の床パネルで構成されてもよく、そして、当該床パネルのうち、隣り合うパネル部材の端部の下面に対して、隣接して並べられる２本の梁を設置して、パネル部材を支持するようにすればよい。
その他、本発明の実施における具体的な構造及び形状等は、本発明の目的を達成できる範囲で他の構造等としてもよい。
【産業上の利用可能性】
【００４０】
本発明のパネル部材の支持構造及び床部の施工方法は、例えば、プレハブ住宅等の建物を構成するパネル部材の支持構造及び床部の施工方法として利用できる。
【図面の簡単な説明】
【００４１】
【図１】本発明の第１実施形態に係るパネル部材の支持構造を備えた建物を示す断面図である。
【図２】図１における二階床部を形成する床パネルの支持構造を示す部分斜視図である。
【図３】図１における屋根を形成する屋根パネル及び小屋パネルを示す部分斜視図である。
【図４】本発明の第２実施形態に係るパネル部材の支持構造を備えた建物を示す断面図である。
【図５】図４における二階床部を形成する床パネルの支持構造を示す部分斜視図である。
【図６】本発明の第３実施形態に係るパネル部材の支持構造を備えた建物を示す断面図である。
【図７】図６における二階床部を形成する床パネルの支持構造を示す部分斜視図である。
【図８】従来における上階床部の支持構造を示した概略図である。
【図９】図８の支持構造の部分斜視図である。
【図１０】従来における他の上階床部の支持構造を示した概略図である。
【図１１】従来におけるもう一つの上階床部の支持構造を示した概略図である。
【図１２】図１１の支持構造の部分斜視図である。
【符号の説明】
【００４２】
１…建物、２…基礎、２０…二階床部、３０…屋根、３１…小屋パネル、４０…一階床部、５０…一階、６０…二階、７０…一階天井体、８０…二階天井体、１０１〜１０４…梁（二階床部を支持）、１１１，１１２…梁（屋根を支持）、２０１〜２０４…二階床パネル（パネル部材）、２０１ａ，２０２ａ…二階床パネルの端部、２０６…枠体、桟材…２０７、面材…２０８、３０１…屋根パネル、４０１，４０２…一階床パネル、５０１…一階壁パネル、６０１，６０２…二階壁パネル、６０２ａ…固定部
【図１】
2005139707.tif 000003
【図２】
2005139707.tif 000004
【図３】
2005139707.tif 000005
【図４】
2005139707.tif 000006
【図５】
2005139707.tif 000007
【図６】
2005139707.tif 000008
【図７】
2005139707.tif 000009
【図８】
2005139707.tif 000010
【図９】
2005139707.tif 000011
【図１０】
2005139707.tif 000012
【図１１】
2005139707.tif 000013
【図１２】
2005139707.tif 000014